(57)【特許請求の範囲】
【請求項１】
手持ち式電子装置に適用されるマルチメディアクリップ記録方法であって、
入力指令を受信するステップと、
前記入力指令によって、ウェブページにおいて、マルチメディアクリップの埋め込みプログラムコードを検出するステップと、
前記マルチメディアクリップに対応する縮小図を取得するステップと、
前記埋め込みプログラムコード、及び前記埋め込みプログラムコードに対応するサイトに関連付けるように、前記縮小図として前記手持ち式電子装置の表示モジュールに表示する記録ファイルを生成するステップと、
を含むマルチメディアクリップ（ｃｌｉｐ）記録方法。
【請求項２】
前記記録ファイルに関連する前記サイトによって、前記マルチメディアクリップを再生するステップを更に含む請求項１に記載のマルチメディアクリップ記録方法。
【請求項３】
前記マルチメディアクリップは、静止映像フォーマット、動的映像フォーマット又は音声フォーマットである請求項１に記載のマルチメディアクリップ記録方法。
【請求項４】
前記記録ファイルを、更に前記ウェブページ名に関連付ける請求項１に記載のマルチメディアクリップ記録方法。
【請求項５】
前記埋め込みプログラムコードは、埋め込みハイパーテキストマークアップ言語（Ｈｙｐｅｒｔｅｘｔ  Ｍａｒｋｕｐ  Ｌａｎｇｕａｇｅ；ＨＴＭＬ）コードである請求項１に記載のマルチメディアクリップ記録方法。
【請求項６】
前記縮小図は、前記マルチメディアクリップ又は前記ウェブページの内容から取得されたものである請求項１に記載のマルチメディアクリップ記録方法。
【請求項７】
表示モジュールと、
ウェブページにアクセスして、前記表示モジュールに表示することに用いられるネットワークモジュールと、
入力指令を受信することに用いられる入力モジュールと、
前記入力指令によって、前記ウェブページにおいて、マルチメディアクリップの埋め込みプログラムコードを検出し、前記マルチメディアクリップに対応する縮小図を取得する検出モジュールと、
前記埋め込みプログラムコード、及び前記埋め込みプログラムコードに対応するサイトに関連付けるように、前記縮小図として前記表示モジュールに表示する記録ファイルを生成することに用いられる関連モジュールと、
前記記録ファイルを保存することに用いられるデータベースと、
を備える手持ち式電子装置。
【請求項８】
前記記録ファイルに関連する前記サイトによって、前記マルチメディアクリップを再生する再生モジュールを更に備える請求項７に記載の手持ち式電子装置。
【請求項９】
前記マルチメディアクリップは、静止映像フォーマット、動的映像フォーマット又は音声フォーマットである請求項７に記載の手持ち式電子装置。
【請求項１０】
前記記録ファイルを、更に前記ウェブページ名に関連付ける請求項７に記載の手持ち式電子装置。
【請求項１１】
前記埋め込みプログラムコードは、埋め込みハイパーテキストマークアップ言語コードである請求項７に記載の手持ち式電子装置。
【請求項１２】
前記データベースにおける前記記録ファイルに対して、削除、閲覧又は検索を行う編集モジュールを更に備える請求項７に記載の手持ち式電子装置。
【請求項１３】
前記縮小図は、前記マルチメディアクリップ又は前記ウェブページの内容から取得されたものである請求項７に記載の手持ち式電子装置。
【発明の詳細な説明】
【技術分野】
【０００１】
本開示内容は、データ処理のシステム及び方法に関し、特に、手持ち式電子装置及びそのマルチメディアクリップ記録方法に関する。
【背景技術】
【０００２】
現代人の生活において、手持ち式電子装置は不可欠な通信ツールである。従来の電話通信を除き、ネットワーク通信も、次第に手持ち式電子装置の必須機能になっている。ネットワーク通信の多様化により、益々多くのマルチメディアが、利用者に見せるようにウェブページに組み込まれている。そのため、利用者が手持ち式電子装置によってネットワークにアクセスする場合、閲覧するウェブページにおいて、埋め込まれた映画又は音楽を鑑賞できるようになる。しかしながら、利用者が、後日再び視聴したり聴取しようとする場合、常になおも再び当該ウェブページに行って探す必要があり、延いては当該ウェブページのサイトを忘れたため、捜しにより多くの時間を費やさなければならない。
【発明の概要】
【発明が解決しようとする課題】
【０００３】
そのため、便利に検索できるように、マルチメディアクリップを手持ち式電子装置に快速に記録可能な、新規の手持ち式電子装置及びそのマルチメディアクリップ記録方法を、如何に設計するかは、この業界において、解決が望まれている問題となる。
【課題を解決するための手段】
【０００４】
そのため、本開示内容の一態様は、手持ち式電子装置に適用されるマルチメディアクリップ記録方法であって、入力指令を受信するステップと、入力指令によって、ウェブページにおいて、マルチメディアクリップの埋め込みプログラムコードを検出するステップと、マルチメディアクリップに対応する縮小図を取得するステップと、埋め込みプログラムコード、及び埋め込みプログラムコードに対応するサイトに関連付けるように、縮小図として手持ち式電子装置の表示モジュールに表示される記録ファイルを生成ステップと、を含むマルチメディアクリップ（ｃｌｉｐ）記録方法を提供する。
【０００５】
本開示内容の一実施例によると、マルチメディアクリップ記録方法は、記録ファイルを選択させるように、選択指令を受信するステップと、記録ファイルに関連するサイトによって、前記マルチメディアクリップを再生するステップと、を更に含む。
【０００６】
本開示内容の別の実施例によると、マルチメディアクリップは、静止映像フォーマット、動的映像フォーマット又は音声フォーマットである。
【０００７】
本開示内容のまた他の実施例によると、記録ファイルを、更にウェブページ名に関連付ける。
【０００８】
本開示内容のもう１つの実施例によると、埋め込みプログラムコードは、埋め込みハイパーテキストマークアップ言語（Ｈｙｐｅｒｔｅｘｔ  Ｍａｒｋｕｐ  Ｌａｎｇｕａｇｅ；ＨＴＭＬ）コードである。
【０００９】
本開示内容の更なる実施例によると、縮小図は、マルチメディアクリップ又はウェブページの内容から取得されたものである。
【００１０】
本開示内容の別の態様は、表示モジュールと、ネットワークモジュールと、入力モジュールと、検出モジュールと、関連モジュールと、データベースと、を備える、マルチメディアクリップ記録可能な手持ち式電子装置を提供する。ネットワークモジュールは、ウェブページをアクセスして、表示モジュールに表示することに用いられる。入力モジュールは、入力指令を受信することに用いられる。検出モジュールは、入力指令によって、ウェブページにおいて、マルチメディアクリップの埋め込みプログラムコードを検出し、対応するマルチメディアクリップの縮小図を取得する。関連モジュールは、埋め込みプログラムコード、及び埋め込みプログラムコードに対応するサイトに関連付けるように、縮小図として表示モジュールに表示する記録ファイルを生成することに用いられる。データベースは、記録ファイルを保存することに用いられる。
【００１１】
本開示内容の一実施例によると、手持ち式電子装置は、記録ファイルに関連するサイトによって、マルチメディアクリップを再生するように、再生モジュールを更に備える。
【００１２】
本開示内容の別の実施例によると、マルチメディアクリップは、静止映像フォーマット、動的映像フォーマット又は音声フォーマットである。
【００１３】
本開示内容のまた他の実施例によると、記録ファイルを、更にウェブページ名に関連付ける。
【００１４】
本開示内容のもう１つの実施例によると、埋め込みプログラムコードは、埋め込みハイパーテキストマークアップ言語コードである。
【００１５】
本開示内容の更なる実施例によると、手持ち式電子装置は、データベースにおける記録ファイルに対して、削除、閲覧又は検索を行うように、編集モジュールを更に備える。
【００１６】
本開示内容に更に含まれる一実施例によると、縮小図は、マルチメディアクリップ又はウェブページの内容から取得されたものである。
【発明の効果】
【００１７】
本開示内容の適用するメリットは、手持ち式電子装置及びそのマルチメディアクリップ記録方法によって、縮小図の形式としてマルチメディアクリップを、その埋め込みプログラムコード及び対応するサイトとともに保存して、後日、利用者により使用されて、快速な捜索、再生又は編集を行う目的を容易に達成する。
【図面の簡単な説明】
【００１８】
下記図面の簡単な説明は、本開示内容の前記又は他の目的、特徴、メリット、実施例をより分かりやすくするためのものである。
【００１９】
【図１】本開示内容の一実施例における、マルチメディアクリップ記録可能な手持ち式電子装置のブロック図である。
【図２】本開示内容の一実施例における、図１に示した手持ち式電子装置の平面図である。
【図３】本開示内容の別の実施例における、手持ち式電子装置の平面図である。
【図４】本開示内容の一実施例における、マルチメディアクリップ記録方法の流れ図である。
【発明を実施するための形態】
【００２０】
図１及び図２を参照する。図１は、本開示内容の一実施例における、マルチメディアクリップ記録可能な手持ち式電子装置１のブロック図である。図２は、本開示内容の一実施例における、手持ち式電子装置１の平面図である。手持ち式電子装置１は、ネットワークモジュール１００と、表示モジュール１０２と、入力モジュール１０４と、検出モジュール１０６と、関連モジュール１０８と、データベース１１０と、を備える。
【００２１】
手持ち式電子装置１は、ネットワークにアクセス可能な携帯電話、スマートフォン、パネルコンピュータ、個人用の携帯情報端末（Ｐｅｒｓｏｎａｌ  Ｄｉｇｉｔａｌ  Ａｓｓｉｓｔａｎｃｅ；ＰＤＡ）又は他の携帯しやすい電子システムであってよい。手持ち式電子装置１は、ネットワークモジュール１００によって、ネットワークにアクセスすることができる。一実施例において、ネットワークモジュール１００は、ネットワークによって遠端のサーバー（図示せず）にアクセスし、ウェブページ１０１を読み取り、また、表示モジュール１０２によって、ウェブページの内容を表示することができる。
【００２２】
現在、ＹｏｕＴｕｂｅ（登録商標）、ＧｏｏｇｌｅＶｉｄｅｏ、ＭｙＳｐａｃｅ（登録商標）等のようなウェブページにおいて、静止映像フォーマット、動的映像フォーマット又は音声フォーマット等のマルチメディアクリップが組み込まれていることが多い。そのため、ネットワークモジュール１００によってウェブページにアクセスすると、利用者は、閲覧するウェブページにおいて、埋め込まれているピクチャー、映画又は音楽を鑑賞できるようになる。例としては、図２において、手持ち式電子装置１の表示モジュール１０２が表示するウェブページ１０１において、動的映像フォーマットのマルチメディアクリップ１０３が組み込まれている。しかしながら、利用者が、後日再び視聴したり聴取しようとする場合、普通は改めて当該ウェブページに閲覧して探す必要があり、当該ウェブページのサイトを忘れると、より多くの時間を掛けて探し出さねばならない。
【００２３】
本実施例における入力モジュール１０４は、入力指令１０５を受信することに用いられる。一実施例において、入力モジュール１０４は、表示モジュール１０２でのタッチ入力を検出可能なタッチ式入力モジュールである。他の実施例において、入力モジュール１０４は、タッチ式の代わりに、ボタン式入力機構によって達成することも可能である。入力指令１０５は、ネットワークモジュール１００によりアクセスされたウェブページに埋め込まれているマルチメディアクリップ１０３を選択することに用いられる。
【００２４】
検出モジュール１０６は、入力指令１０５によって、ウェブページ１０１においてマルチメディアクリップ１０３の埋め込みプログラムコードを検出し、更に、マルチメディアクリップ１０３に対応する縮小図を取得ことができる。埋め込みプログラムコードは、埋め込みハイパーテキストマークアップ言語（Ｈｙｐｅｒｔｅｘｔ  Ｍａｒｋｕｐ  Ｌａｎｇｕａｇｅ；ＨＴＭＬ）コード又は他のタイプのネットワークプログラム言語埋め込みコードであってよい。例としては、埋め込みハイパーテキストマークアップ言語コードは、＜ｉｆｒａｍｅ  ｗｉｄｔｈ＝“５６０”  ｈｅｉｇｈｔ＝“３１５”  ｓｒｃ＝“ｈｔｔｐ：／／ｗｗｗ．ｙｏｕｔｕｂｅ．ｃｏｍ／ｅｍｂｅｄ／ＬｚＭＫｌＱＳｐｘｌｋ”  ｆｒａｍｅｂｏｒｄｅｒ＝“０”  ａｌｌｏｗｆｕｌｌｓｃｒｅｅｎ＞＜／ｉｆｒａｍｅ＞のような形式であってよい。
【００２５】
一実施例において、縮小図を、マルチメディアクリップ１０３の内容から直接に取得してよい。例としては、動的映像フォーマットのマルチメディアクリップ１０３である場合、縮小図として、検出モジュール１０６によって、その中の一部の画面を取得してよい。静止映像フォーマットのマルチメディアクリップ１０３である場合、この静止映像を直接に縮小図としてよい。但し、音声フォーマットのマルチメディアクリップ１０３である場合、画像内容はないので、ウェブページ１０１における画像内容を縮小図としてよい。前記縮小図を取得方式は例示に限り、他の実施例において、他の方式によって、マルチメディアクリップ１０３に関連する縮小図を取得してもよいことは注意すべきである。
【００２６】
関連モジュール１０８は、記録ファイル１０７を生成して、データベース１１０に保存することに用いられる。記録ファイル１０７は、縮小図を、埋め込みプログラムコード、及び埋め込みプログラムコードに対応するサイトに関連付ける。記録ファイル１０７を、縮小図として表示モジュール１０２に表示することができる。図３を参照する。図３は、本開示内容の別の実施例における、手持ち式電子装置１の平面図である。図３において、表示モジュール１０２は、図２におけるマルチメディアクリップ１０３よって生成された記録ファイル１０７を、縮小図の形式で表示する。一実施例において、記録ファイル１０７は、ウェブページ名に関連付け、名称を縮小図とともに表示モジュール１０２に表示してよい。一実施例において、手持ち式電子装置１は、データベース１１０における記録ファイル１０７に対して、削除、閲覧又は検索を行うように、編集モジュール１１２を更に備える。
【００２７】
そのため、利用者が、後日マルチメディアクリップ１０３を探そうとする場合、データベース１１０を起動して、縮小図によって対応する記録ファイル１０７を捜すだけで、マルチメディアクリップ１０３を迅速に捜し出すことができる。一実施例において、手持ち式電子装置１は、記録ファイル１０７によって、それに関連するサイトにリンクして、マルチメディアクリップ１０３を再生するように、再生モジュール１１４を更に備える。
【００２８】
また、表示モジュール１０２及び入力モジュール１０４を、タッチスクリーンで実現でき、ネットワークモジュール１００、検出モジュール１０６及び関連モジュール１０８を、プロセッサで実現でき、データベース１１０を、メモリ又は保存機能を持つ如何なるハードウェアで実現できることは注意すべきである。
【００２９】
図４を参照する。図４は、本開示内容の一実施例における、マルチメディアクリップ記録方法４００の流れ図である。マルチメディアクリップ記録方法４００を、図１に示すような手持ち式電子装置１に適用可能である。マルチメディアクリップ記録方法は、下記ステップを含む（本実施形態で言及されたステップは、明確にその順序を述べた場合を除き、何れも実際の要求に応じてその前後順序を調整でき、延いては同時に実行したり、その一部を同時に実行可能であることは理解すべきである）。
【００３０】
ステップ４０１において、入力モジュール１０４は、入力指令１０５を受信する。
【００３１】
ステップ４０２において、検出モジュール１０６は、入力指令１０５によって、ウェブページ１０１においてマルチメディアクリップ１０３の埋め込みプログラムコードを検出し、更に、マルチメディアクリップ１０３に対応する縮小図を取得。
【００３２】
ステップ４０３において、関連モジュール１０８は、埋め込みプログラムコード、及び埋め込みプログラムコードに対応するサイトに関連付けるように、縮小図として手持ち式電子装置１の表示モジュール１０２に表示する記録ファイル１０７を生成する。
【００３３】
本開示内容の適用するメリットは、手持ち式電子装置及びそのマルチメディアクリップ記録方法によって、縮小図の形式とするマルチメディアクリップを、その埋め込みプログラムコード及び対応するサイトとともに保存して、後日、利用者により使用されて、快速な捜索、再生又は編集を行う目的を容易に達成する。
【００３４】
本開示内容では好適な実施形態を前述の通り開示したが、これは本発明を限定するものではなく、当業者であれば、本発明の精神と領域から逸脱しない限り、多様の変動や修正を加えることができる。従って、本発明の保護範囲は、特許請求の範囲で指定した内容を基準とする。
【符号の説明】
【００３５】
１  手持ち式電子装置、１００  ネットワークモジュール、１０１  ウェブページ、１０２  表示モジュール、１０３  マルチメディアクリップ、１０４  入力モジュール、１０５  入力指令、１０６  検出モジュール、１０７  記録ファイル、１０８  関連モジュール、１１０  データベース、１１２  編集モジュール、１１４  再生モジュール、４００  マルチメディアクリップ記録方法、４０１〜４０３  ステップ
【図１】
0005592433.tif 000002
【図２】
0005592433.tif 000003
【図３】
0005592433.tif 000004
【図４】
0005592433.tif 000005